(57)【要約】【課題】家族計画および／または避妊のための装置を提供する。【解決手段】前記装置は、基礎体温を測定する装置、周期の第１日を入力する装置、唾液の特性を入力する装置、前記装置により使用できるデータを処理する装置、使用できるデータの少なくとも一部を蓄積する記憶装置および表示装置を有し、データを処理する装置が、所定の日の女性の受精に関する結論がそれぞれの装置により使用できるデータの少なくとも一部の関数として決定され、この結論が表示装置により表示できるように設計されている。【選択図】図５
2005144137.tif 000002
【特許請求の範囲】
【請求項１】
家族計画および／または避妊のための装置であり、前記装置が、
基礎体温を測定する装置（１）、
周期の第１日を入力する装置（７）、
唾液の特性を入力する装置（８）、
前記装置（１，７，８）により使用できるデータを処理する装置（１３）、
使用できるデータの少なくとも一部を蓄積する記憶装置（１４）および
表示装置（４）を有し、データを処理する装置が、所定の日の女性の受精に関する結論がそれぞれの装置により使用できるデータの少なくとも一部の関数として決定され、この結論が表示装置により表示できるように設計されている、家族計画および／または避妊のための装置。
【請求項２】
女性の受精に関する結論を決定する際に、データが異なって評価されるようにデータを処理する装置が形成されている請求項１記載の装置。
【請求項３】
データの評価を使用できる以前に蓄積されたデータの関数として変動することができる請求項２記載の装置。
【請求項４】
女性の受精に関する結論が、女性の周期の第１日を入力する装置（７）により使用できるデータより大きい程度で、基礎体温を測定する装置（１）により使用できるデータに依存し、女性の周期の第１日を入力する装置（７）により使用できるデータが、唾液の特性を入力する装置（８）により使用できるデータより女性の受精に関する結論に大きく影響する請求項２または３記載の装置。
【請求項５】
基礎体温を測定する装置（１）により使用できる評価が有利に５０〜９０％、特に６０〜８０％になり、女性の周期の第１日を入力する装置（７）により使用できるデータの評価が有利に５〜３５％、特に１０〜３０％になり、唾液の特性を入力する装置（８）により使用できるデータの評価が有利に２〜２０％、特に５〜１５％になる請求項２から４までのいずれか１項記載の装置。
【請求項６】
女性の受精に関する結論が起こりうる受精日および非受精日の間で区別され、起こりうる受精日および非受精日が種々の方法で目視的に表示されるように、データを処理するために装置が備えられている請求項１から５までのいずれか１項記載の装置。
【請求項７】
表示装置が起こりうる受精日を赤で表示し、起こりうる非受精日を緑で表示する請求項６記載の装置。
【請求項８】
女性の受精に関する結論として移行日が用意され、これは起こりうる受精日と起こりうる非受精日との間で区別がない場合の日であり、移行日が起こりうる受精日および非受精日と目視的に異なって表示される請求項６または７記載の装置。
【請求項９】
表示装置が移行日を黄色で表示する請求項８記載の装置。
【請求項１０】
基礎体温を測定する装置（１）により使用できるデータから温度の上昇を認識する装置を有し、女性の受精に関する結論を決定する際に周期の開始時の周期の第１段階と温度の上昇が検出された後の周期の第２段階との間に区別が存在する請求項６から９までのいずれか１項記載の装置。
【請求項１１】
第１時期、例えば装置により記録された第２周期の終了まで、周期の第２段階の女性の受精に関する結論として起こりうる受精日の数が予め選択される請求項１０記載の装置。
【請求項１２】
第１時期の後に、周期の第２段階の女性の受精に関する結論として起こりうる受精日の数が蓄積したデータの分析の関数として決定される請求項１１記載の装置。
【請求項１３】
蓄積したデータから周期の継続および／または周期の経過の規則性に関する表示が引き出され、起こりうる非受精日の数がこの表示の関数として決定されおよび／または装置により記録された周期の数が周期の第２段階の女性の受精に関する結論として決定される請求項１２記載の装置。
【請求項１４】
起こりうる受精日の数が、周期の第２段階の受精に関する結論として唾液の特性を入力する装置（８）により使用できるデータの関数として決定されおよび／または影響される請求項１０から１３までのいずれか１項記載の装置。
【請求項１５】
第２時期、例えば装置により記録される第５周期の終了まで、起こりうる非受精日の数が周期の第１段階の女性の受精に関する結論として予め選択される請求項１０から１４までのいずれか１項記載の装置。
【請求項１６】
第２時期後に、起こりうる非受精日の数が周期の第１段階の女性の受精に関する結論として蓄積されたデータの分析の関数として決定される請求項１５記載の装置。
【請求項１７】
蓄積したデータから特性の要素が引き出され、第２時期の後に、周期の第１段階の女性の受精に関する結論として起こりうる非受精日の数が特性の要素の関数として決定されおよび／または装置により記録される時期の数が周期の第１日を入力する装置（７）から任意のデータの関数として決定される請求項１６記載の装置。
【請求項１８】
時間を測定する装置および予め決定された時期が経過した後にデータの入力を使用者に指示する対話装置を有する請求項１から１７までのいずれか１項記載の装置。
【請求項１９】
唾液の特性の入力を有利に１周期当たり５〜１０回、特に１周期当たり６〜８回指示するように対話装置が設計されている請求項１８記載の装置。
【請求項２０】
周期によらず、その代わりに寒気または偏頭痛のような他の要因により生じる温度の変動を認識し、起こりうる受精日および／または非受精日を決定する場合にこのデータを廃棄する請求項１から１９までのいずれか１項記載の装置。
【請求項２１】
周期および特に周期の継続および／または経過を認識するように設計されている請求項１から２０までのいずれか１項記載の装置。
【発明の詳細な説明】
【技術分野】
【０００１】
本発明の対象は家族計画および避妊のための装置である。
【背景技術】
【０００２】
これまで種々の避妊法が開発され、使用された。最も広く使用される方法はコンドームまたはＩＵＤのような機械的方法、ホルモン法（ピル）および座薬、クリームおよびフォームのような化学的特性を有する方法である。特定の日の受精の可能性を評価することができる避妊および家族計画のための装置が最近開発された。女性の受精は女性の周期にわたり変動し、１つの卵が約２８日ごとに、卵巣により排出され、受精することができる程度に成熟する。卵の排出は排卵として知られた出来事である。卵子は排卵後わずか約１２時間から多くても２４時間かけて受精する。しかし精子細胞は女性の体内で平均して約７２時間または例外的な場合は５日まで生きている。従って最大受精時間は排卵前約７２時間に開始し、その後約１２時間で終了する。従って受精段階を決定する公知のすべての方法は排卵の時間の周辺で受精の可能性が最も高いので排卵の時間を予想しようと試みる。周期の内部で、周期の段階の機能として女性の体温または基礎体温、ＬＨホルモン濃度および子宮粘液の特性および量のような多くのパラメーターが変動する。これらのパラメーターにもとづき排卵の時期および女性の受精日の決定を可能にする方法を開発することが理論的に可能である。
【０００３】
女性の周期が複雑なホルモン調節に影響されることは知られている。周期の平均持続時間は２８日であるが、２４日と３２日の間で変動し、不規則なことがある。女性の受精時期を決定する公知の方法はいわゆるカレンダー法であり、排卵が周期の中間で規則的に起きることを前提とする。この場合に周期の持続時間が２８日であり、最後の周期の第１日の後の１４日に排卵が起きることが前提とされる。しかしそれぞれの周期は一定の変動を受けるので、カレンダー法は不十分であり、従って信頼できる避妊または家族計画に適していない。ＷＯ０１／３６２１２号はカレンダー法のみにもとづき、排卵の時期および女性の受精の時期を決定する装置を記載する。
【０００４】
更に基礎体温の測定は排卵を決定するために広く使用される方法である。それぞれの排卵の後に性ホルモン、ゲスターゲンが形成される。これは熱調節中心に作用する特性を有し、体温が約０.４〜０.６℃上昇する。結果として（排卵前の）周期の第１の半分での平均体温が（排卵後の）周期の第２の半分での平均体温より低い。ゲスターゲンは排卵がすでに起きた場合にのみ形成されるので、体温の上昇は信頼できる排卵の兆候とみなすことができる。しかし寒気または偏頭痛のような要素が存在する場合に、これらの要素が体温の上昇を生じることがあり、排卵の時期の決定が困難であるかまたは不可能である。これは基礎体温法の使用が低い程度の正確性を有し、排卵の予測が不可能であることを示す。
【０００５】
欧州特許第０１９５２０７号は体温を測定する温度測定装置を有し、温度測定装置が体内に挿入することができるハウジングに収容され、このハウジングがデータメモリを有し、データメモリがタイマーで調節して決められた間隔で温度を蓄積し、更に外部指令信号に応答してデータメモリにデータを送るために、伝送および受信装置が備えられている、避妊を調節する装置を記載する。
【０００６】
ＷＯ８７／０２８７６号は、身体中心部温度を測定する装置、毎日測定した身体中心部温度の値を測定データと相関して蓄積し、分析できる分析装置およびディスプレーおよび作業ユニットおよび場合により時計およびアラーム機能を有する、基礎体温曲線を決定し、受精の日を決定する装置を記載し、避妊の時間を決定するために、分析ユニットがまず予め選択できる、連続して測定した温度の値の数を、周期の開始時に測定した温度の値の列からユニットにより決定される開始温度の値と比較し、周期の開始時の温度の値の測定値ｄの半分より多くが開始温度の値より少なくとも０.１℃低く、最も新しく測定したこの列の温度の値の半分より多くが開始時の値より大きい場合に、開始時の値より０.１℃高い第２の温度の値を使用することにより、周期の開始から周期の終了におよび／または現在の測定データに移動した温度の値の列で、測定した温度の値の半分より多くが初めて第２の温度の値に等しいかまたは大きいことを確認するために、分析ユニットがチェックし、少なくとも第２の温度の値の水準にある、この列の最初の温度の値の測定データを、排卵の日を表す最小値が計算される新しい列の中間点として決定し、多くの最小値が存在する場合に、周期の終了に最も近いものが排卵の日であるとみなされる。
【０００７】
排卵を決定する他の方法は、Ｂｉｌｌｉｎｇ教授により開発された子宮粘液法である。周期の開始時に、月経後に、少量の子宮粘液を排出する。排卵の時期の周辺で、子宮腺が粘液を生じ、粘液は最初は濃く、だんだん透明になり、数日後より液状になる。受精日が粘液の出現で開始し、数日継続することが前提とされる。引き続き粘液は再び粘性になり、受精の間隔が終了する。しかし子宮粘液の本来の特性を化学的避妊薬または他の状況の使用により変更することができる。子宮粘液の他に唾液がこれらの周期の間に変化し、この変化を排卵が起きたかどうかを決定する基礎として使用することができる。
【０００８】
ＷＯ１／０６９３２号は唾液または子宮粘液を、受精時間を決定するために試験することができる装置を記載する。
【０００９】
尿の黄体形成ホルモン（ＬＨ）の濃度を決定することにより排卵を発見することができ、この方法を使用して多くの装置が市販されている。排卵の時期の周辺でＬＨが増加し、ＬＨは排卵の時期の良好な指示薬である。ＬＨ濃度を決定する装置はＬＨに特異的であるモノクローナル抗体を有する試験条片を含む。引き続くＥＬＩＳＡ法またはＥＭＩＴ法は色の変化にもとづきＬＨの濃度の決定を可能にする。この方法の毎日の使用により、ＬＨ濃度がある日から翌日にＬＨ濃度が増加するかどうかを決定することが可能である。欧州特許第０３８３６１９号はＬＨの尿濃度を決定する試験条片を有するキットを記載する。この方法は最初に記載した方法より信頼できるが、使用するには複雑であり、試験条片が高価である。
【００１０】
前記のすべての方法は排卵が起きたかどうか決定するために使用できる。しかしこれらの方法はいずれも単独に排卵の時期を正確に予測できない。従って市販されている装置は次の排卵の時期がいつであるか予測する複数の方法の実施を可能にする１個以上の装置を有する。避妊法の信頼性はパールインデックスにより示され、市販されている多くの装置はパールインデックス０.５〜７の値を生じる（値が低いほど装置の信頼性が高い）。利用できる装置の正確性は使用される測定法に依存する。方法が低い程度の信頼性を有するかまたは大きい正確性が要求される場合に使用するためにかなり複雑であることが問題である。
【特許文献１】ＷＯ０１／３６２１２号
【特許文献２】欧州特許第０１９５２０７号
【特許文献３】ＷＯ８７／０２８７６号
【特許文献４】ＷＯ１／０６９３２号
【特許文献５】欧州特許第０３８３６１９号
【発明の開示】
【発明が解決しようとする課題】
【００１１】
本発明の課題は、簡単な取り扱いと排卵の予測と決定の際の大きい正確性を結合し、実施する際にモノクローナル抗体を有する試験条片のような高価な部品を必要としない、装置を提供することである。本発明の課題はこのような装置を提供することである。
【課題を解決するための手段】
【００１２】
本発明の装置は排卵の推定される時期を決定する以下の方法を結合する：カレンダー法、基礎体温法および唾液法。
【００１３】
前記課題は請求項１記載の方法により解決される。
【００１４】
請求項１の構成は、家族計画および／または避妊のための装置であり、前記装置が、
基礎体温を測定する装置（１）、周期の第１日を入力する装置（７）、唾液の特性を入力する装置（８）、前記装置（１，７，８）により使用できるデータを処理する装置（１３）、使用できるデータの少なくとも一部を蓄積する記憶装置（１４）および表示装置（４）を有し、データを処理する装置が、所定の日の女性の受精能力に関する結論がそれぞれの装置により使用できるデータの少なくとも一部の関数として決定され、この結論が表示装置により表示できるように設計されている（図１参照）。
【００１５】
例えば本発明による装置の使用の最初の段階で、所定の日の女性の受精に関する結論に関して可能なきわめて大きい確実性を達成するために、第１周期または第１周期と第２周期の基礎体温のデータのみを考慮することができる。有利な実施態様において表示装置は装置の使用の開始時に固定した値、例えば４個の起こりうる非受精日、引き続き女性の起こりうる受精または非受精に関する結論が不可能である日、引き続き起こりうる受精日の数を表示する（図２参照）。
【００１６】
他の有利な実施態様において、排卵前の時期の第５周期までおよび第５周期を含めて固定した値を使用する。第６周期から所定の日の女性の受精に関する結論として周期の開始の規則性（女性の時期の第１日の入力）が考慮される。例えばこれは周期の開始の規則性に依存して、排卵の予測される日から少なくとも６日遡って計算することにより行う。
【００１７】
他の有利な実施態様において、排卵前の時期の固定した値のほかに排卵が起きた後の時期の固定した値を使用する。これは例えば２日（排卵＋１日）であってもよい。これは例えば女性の受精に関する結論として得られ、少なくとも８日連続する日に起こりうる受精日が生じる。
【００１８】
第２周期から唾液の特性に関するデータを考慮することができる。しかし唾液の特性に関するデータの入力は該当する月の分析に影響させずに使用者の習慣に関してのみ使用することができる。他の構成において唾液の測定は第３周期からの任意の日の女性の受精に関する結論に影響し、例えば排卵後の起こりうる受精日の数を減少することができる。
【００１９】
請求項１記載の装置は、データを処理する装置が女性の受精に関する結論を決定する際にデータが異なって評価されるように形成されることを特徴とし、この場合にデータの評価は利用できる以前に蓄積されたデータの関数として変動することができる。
【００２０】
１つの特別な構成により、本発明の装置は女性の受精に関する結論が女性の周期の第１日を入力する装置（７）により使用できるデータより基礎体温を決定する装置（１）により使用できるデータに大きい程度で依存し、女性の周期の第１日を入力する装置（７）により使用できるデータが唾液の特性を入力する装置（８）により使用できるデータより女性の受精に関する結論に大きく影響することを特徴とする。
【００２１】
他の特別な構成により、本発明の装置は基礎体温を測定する装置（１）により使用できるデータの評価が有利に５０〜９０％、特に有利に６０〜８０％になり、女性の周期の第１日を入力する装置（７）により使用できるデータの評価が有利に５〜３５％、特に有利に１０〜３０％になり、唾液の特性を入力する装置（８）により使用できるデータの評価が有利に２〜２０％、特に有利に５〜１５％になることを特徴とする。
【００２２】
カレンダー法はこの特別な構成により温度法より低く評価され、それはカレンダー法が周期の自然の変動のために温度法より信頼性が低いからである。カレンダー法がきわめて信頼できない場合でもカレンダー法がなお客観的方法であり、唾液試験法がきわめて主観的であるために唾液試験法の重さはカレンダー法の重さより低い。
【００２３】
３つの方法の組み合わせにより、本発明の装置は、周期によらず、その代わりに寒気または偏頭痛のような他の要素により生じる温度の変動を認識することができ、起こりうる受精日および／または非受精日を決定する場合に温度の変動によるこのデータを廃棄することができる。
【００２４】
本発明の装置の１つの特別な特徴はすべての測定を毎日行う必要がないことである。１つの特別な構成において、本発明の装置は、時間を測定する装置および予め決定された時間が経過した後に使用者にデータの入力を指示する対話装置を有することを特徴とする。他の構成において、本発明の装置は対話装置により１周期当たり有利に５〜１０回、特に６〜８回唾液の量および特性の入力を必要とする。
【００２５】
他の構成において、前記装置は自動的に周期および特に周期の持続時間および／または経過を認識することができる。従って有利に第６周期または第７周期の前に、特に有利に第５周期の前に最大の正確性が達成される。
【００２６】
本発明の装置の利点は簡単な取り扱い、はっきりした誤りのない表示および指示および新しいマイクロプロセッサーにより制御される事実を有する。
【００２７】
更に本発明は本発明の装置を使用する適用および方法を含む。
【００２８】
この装置はカレンダー法、基礎体温法および唾液法を使用して、これらの値を比較することにより排卵段階を決定するために使用される。この装置は家族計画、すなわち避妊を妨げるためにまたは子供の要求を満たすために使用される。この装置は有利に１週間に数回、特に１日１回使用される。
【００２９】
この装置は、女性の受精に関する結論が起こりうる受精日および非受精日の間で区別され、起こりうる受精日および非受精日が目視的に異なる方法で表示されるようにデータを処理するために、有利に起こりうる受精日を赤でおよび起こりうる非受精日を緑で示す表示装置が備えられている。
【００３０】
この装置は女性の受精に関する結論としていわゆる移行日が備えられていることを特徴とする。これは起こりうる受精日と起こりうる非受精日との間に区別がない場合の日であり、移行日は起こりうる受精日および非受精日と目視的に異なって表示される。有利な構成において、表示装置は移行日を黄色で表示する。
【００３１】
他の構成において、前記装置は基礎体温を測定する装置（１）により使用できるデータから温度の上昇を認識する装置により特徴付けられ、女性の受精に関する結論を決定する際に周期の開始時の周期の第１段階と温度の上昇が検出された後の周期の第２段階が区別される。
【００３２】
周期の第１段階および周期の第２段階の語は周期の第１段階が周期の開始からの時間の第１の時期であるという意味で理解される。この周期の第１段階は起こりうる非受精日および起こりうる受精日への移行日を含む。周期の第２段階は温度の上昇が起きた後の起こりうる受精日から起こりうる非受精日への移行日を含む（図３参照）。
【００３３】
装置の他の構成において、第１時期、例えば装置により記録される第２周期の終了まで周期の第２段階での女性の受精に関する結論として起こりうる受精日の数が予め選択される。第１時期の後で起こりうる受精日の数が周期の第２段階での女性の受精に関する結論として蓄積されたデータの分析の関数として決定される。
【００３４】
１つの有利な構成において、前記装置は周期の持続時間および／または周期の経過の規則性に関する表示が蓄積したデータから引き出され、起こりうる非受精日の数がこの表示の関数として決定されおよび／または装置により記録される周期の数が周期の第２段階の女性の受精に関する結論として決定されることを特徴とする。
【００３５】
本発明による表示は、例えば排卵日（温度の上昇ｅ）に関する日の標準偏差（シグマ、Φ）である。次の周期の排卵が起きた日は先行する周期の排卵が起きた日の平均に相関する（図４）。“良好”は平均の０.８のシグマを示し、“悪い”は２.０より大きいシグマを示し、“標準”は０.８〜２.０のシグマを示す。シグマは有利に第４周期の後に計算する。排卵が起きた日の蓄積した日の数に制限はない。最後の６〜２４周期、有利に最後の１５周期を蓄積することが有利である。
【００３６】
他の構成において、起こりうる受精日の数が周期の第２段階の受精に関する結論として唾液の特性を入力する装置（８）により使用できるデータの関数として決定および／または影響される。
【００３７】
他の構成において、本発明の装置は第２時期、例えば装置により記録される第５周期の終了まで、起こりうる非受精日の数が周期の第１段階の女性の受精に関する結論として予め選択され、有利に第２時期の後に起こりうる非受精日の数が周期の第１段階の女性の受精に関する結論として蓄積したデータの分析の関数として決定されることを特徴とする。
【００３８】
１つの特に有利な構成において、本発明の装置は特性の要素が蓄積したデータから引き出され、第２時期の後に、周期の第１段階の女性の受精に関する結論として、起こりうる非受精日の数が特性の要素の関数として決定されおよび／または装置により記録された時期の数が周期の第１日を入力する装置（７）から任意のデータの関数として決定されることを特徴とする。
【００３９】
特性の要素は本発明のコンピュータープログラムにより計算され（ｉｘＰ２）、０〜７の範囲のすべての測定した周期の排卵の時期の恒常性の表示である。例えば排卵が常に１４日に起きる場合は、きわめて高い特性要素であり、すなわち特性要素が７である。
【００４０】
０≦ｉｘＰ２Φ＜０.５は特性要素７を生じ、０.５≦ｉｘＰ２Φ＜１.０は特性要素６を生じる。低い特性要素は排卵の時期の大きい変動の表示である。３.０≦ｉｘＰ２＜３.５は特性要素１を生じ、３.５≦ｉｘＰ２Φは特性要素０を生じる。
【００４１】
この方法は排卵段階を決定するためにおよび／または家族計画のために使用される、カレンダー法、基礎体温法および唾液法を使用して女性の身体のパラメーターを測定し、引き続きこれらの値を比較する。測定したパラメーターは有利に体温および唾液および／または子宮粘液のコンシステンシーが含まれ、体温を有利に口で測定し、唾液のコンシステンシーは有利に体外で測定する。引き続きこのデータを、有利にマイクロプロセッサーを使用して蓄積する。
【００４２】
本発明を図面にもとづき詳細に説明する。
【００４３】
図１は本発明の装置のブロック図である。
【００４４】
図２はいくつかの周期にわたり使用する間の移行部分Ｎｏ.１を示す。移行部分Ｎｏ.１は周期の開始時の周期の第１部分である（まさに出血が起きた）。
【００４５】
使用者は３日間受精せず、表示装置は（第１の温度測定前の）０日を含んで４日間“おそらく受精しない”と表示する。第４日から、例えばこの装置を避妊に使用する場合に、女性の受精に関する最も信頼できる可能な結論を作成するために、“おそらく受精した”への移行部分が存在するはずである場合の関数として、数日の期間にわたり“おそらく受精しない”の表示から“おそらく受精した”の表示への移行部分が存在する。このデータはきわめて大きい可能な確実性に関して処理される。精子が５日の生存時間を有し、卵細胞が排卵後２日まで受精可能であることが仮定される。以前の周期の周期開始のデータは統計的に“おそらく受精した”への変化があるはずである場合を決定するために使用される。
【００４６】
図３は例えば本発明の装置の表示装置での周期の段階の経過を示す。
【００４７】
移行部分Ｎｏ.１は周期の開始時の周期の第１部分である。例えば３つの起こりうる非受精日が表示される。引き続き例えば１０日の期間にわたり起こりうる非受精日から起こりうる受精日への変化が存在する。移行部分Ｎｏ.２は排卵後の起こりうる受精日から起こりうる非受精日への変化が存在する間の周期の部分である。例えば表示される起こりうる非受精日の期間は１２日であってもよい。
【００４８】
図４は周期の持続時間の規則性の表示が移行部分Ｎｏ.２を決定するために引き出される１つの例を示す。
【００４９】
図５は排卵を決定するためのおよび／または家族計画のための本発明のプロセス制御されたミニコンピューターの１つの有利な構成の図である。有利に自然家族計画（ＮＦＰ）の３つの試験した方法、カレンダー法、基礎体温法および唾液法を適当に組み合わせ、アルゴリズムソフトウェアーを使用して分析する。結果をディスプレー（４）に表示し、ファンクションキー（５）を始動することにより任意の時間に呼び出すことができる。周期入力のためのキー（７）を使用して最後の月経の出血の第１日を入力し、この装置は使用者に周期の群を付与するためのカレンダー法による第１の計算基礎を有する。月経周期の開始後３〜５日にこの入力を確認することができる。遅くても第５周期の後に、有利に第３周期の後に装置は最大効率に到達し、装置は長く使用するほどより正確になり、パールインデックス０.５〜２に到達する。これらの測定は有利に朝、起きる前に行うかまたはいずれにしても一日の同じ時間に規則的に行うべきであり、装置は組み込まれているアラームを有し、アラームはファンクションキー（５）の作動により所望の時間に調節される。基礎体温を測定するために、温度測定用キー（６）を押し、温度センサー（１）の上の保護キャップ（３）をはずし、温度センサー（１）を測定が終了するまで数秒間舌の下半分に案内する。測定の終了は光信号または音響信号、有利に衝撃音により表示される。測定した値はディスプレー（４）で見ることができ、ファンクションキー（５）を押すことによりコンピューターに蓄積することができる。引き続きステータスライト（９）で照らし、周期の段階に関する情報が提供される。ステータスライト（９）は有利に３個のライトからなり、緑は受精が不可能であることを示し、黄色は受精が不確定である過渡段階を示し、赤は受精のための最も信頼できる時間として排卵段階を示す。
【００５０】
装置は実施すべき第２測定法を１周期当たり５〜１０回、有利に６〜８回、有利に唾液試験法のために指示する。その後ディスプレー（４）は“唾液試験を行って下さい”のようなメッセージを示し、これに信号、例えば警告音が随伴する。唾液、有利に朝の唾液を測定するために、唾液試験用キー（８）を押し、唾液キャリア（２）の上の保護キャップ（３）をはずす。その後このキャリア（２）は装置から取り出され、キャリアの表面を布で短時間清浄にし、口からの少量の唾液、有利に朝の唾液をキャリア（２）に取り付ける。キャリア（２）を、有利にキャリアの唾液が乾燥した後で装置に戻す。試験唾液を背後から照らし、有利に図２に示されるような装置の裏側に取り付けられた参考画像と比較し、これらの画像にもとづいて周期の段階を決定する。測定したデータはファンクションキー（５）を作動することにより装置に蓄積する。
【００５１】
図６は測定装置の裏側の有利な構成を示し、測定装置は有利に唾液の結晶構造の３〜５個の参考画像（１１）を有する。唾液キャリア（２）の上にある使用者の唾液を調節可能な接眼レンズ（１０）により観察し、画像（１１）と比較する。この測定の結果を装置の他方の面にあるファンクションキー（５）を押すことにより装置に蓄積する（図５）。
【００５２】
更に装置のこの面は装置への出力供給のための接続部および／またはコンパートメント（１２）を有する。作業中の出力供給はラインプラグ、パワーパックまたはバッテリーにより供給される。装置の状態の変化はＬＥＤにより表示される。
【図面の簡単な説明】
【００５３】
【図１】本発明の装置のブロック図である。
【００５４】
【図２】いくつかの周期にわたり使用する間の移行部分Ｎｏ.１を示す図である。
【００５５】
【図３】表示装置での周期の段階の経過を示す図である。
【００５６】
【図４】移行部分Ｎｏ.２を示す図である。
【００５７】
【図５】本発明の装置の裏側を示す図である。
【００５８】
【図６】本発明の装置の図である。
【符号の説明】
【００５９】
図１：
１  基礎体温を測定する装置
２  唾液キャリア
４  表示装置
５  ファンクションキー
６  温度を入力する装置
７  周期の第１日を入力する装置
８  唾液の特性を入力する装置
９  ステータスライト
１０  接眼レンズ
１３  装置１，７，８により使用できるデータを処理する装置
１４  記憶装置
図５：
１  基礎体温を測定する装置
３  安全キャップ
４  表示装置
５  ファンクションキー
６  温度を入力する装置
７  周期の第１日を入力する装置
８  唾液の特性を入力する装置
９  ステータスライト
図６：
２  唾液キャリア
１０  移動可能な直接可能な接眼レンズ
１１  唾液の比較画像
１２  バッテリーカバー
【図１】
2005144137.tif 000003
【図２】
2005144137.tif 000004
【図３】
2005144137.tif 000005
【図４】
2005144137.tif 000006
【図５】
2005144137.tif 000007
【図６】
2005144137.tif 000008
【外国語明細書】
2005144137.tif 000009
2005144137.tif 000010
2005144137.tif 000011
2005144137.tif 000012
2005144137.tif 000013
2005144137.tif 000014
2005144137.tif 000015
2005144137.tif 000016
2005144137.tif 000017
2005144137.tif 000018
2005144137.tif 000019
2005144137.tif 000020
2005144137.tif 000021
2005144137.tif 000022
2005144137.tif 000023
2005144137.tif 000024
2005144137.tif 000025
2005144137.tif 000026
2005144137.tif 000027
2005144137.tif 000028
2005144137.tif 000029
2005144137.tif 000030
2005144137.tif 000031
2005144137.tif 000032
2005144137.tif 000033
2005144137.tif 000034